(57)【要約】【課題】田植機における支持フレーム１１に横方向に延びるように取付けた下部レール１８に，苗載台１５の裏面下部に取付けた断面下向きコ字状の下部シュー部材１７を嵌める一方，前記支持フレームに設けた上部シュー部材２１を，前記苗載台の裏面上部に取付けた断面下向きコ字状のガイドレール１９内に嵌めて成る苗載台の支持装置において，前記下部シュー部材に対するメンテナンスの容易化を図る。【解決手段】前記上部シュー部材２１を，前記支持フレーム１１に設けた昇降機構にて上下動する構成にする。【選択図】図３
2012105596.tif 000002
【特許請求の範囲】
【請求項１】
田植機における支持フレームに横方向に延びるように取付けた下部レールに沿って、苗載台を摺動自在に案内支持する下部シュー部材と，前記苗載台の裏面上部に取付けたガイドレールに摺動自在に嵌るように，前記支持フレームに設けた上部シュー部材とを備えている苗載台の支持装置において，
前記上部シュー部材を，前記支持フレームに設けたシュー昇降機構にて上下動する構成にしたことを特徴とする田植機における苗載台の支持装置。
【請求項２】
前記請求項１の記載において，前記上部シュー部材を，前記ガイドレールの長手方向に沿って適宜間隔で配設した複数個にして，この各上部シュー部材のうち少なくとも二つの上部シュー部材を，前記シュー昇降機構によって上下動する構成にしたことを特徴とする田植機における苗載台の支持装置。
【請求項３】
前記請求項１又は２の記載において，前記シュー昇降機構を，前記苗載台の前方において圃場面を均す整地機構に対する昇降操作機構に，当該昇降操作機構によって前記上部シュー部材の上下動を行なうように，着脱可能に連結したことを特徴とする田植機における苗載台の支持装置。
【請求項４】
前記請求項１〜３のいずれかの記載において，前記シュー昇降機構に，当該シュー昇降機構を上げ操作位置に保持するロック手段を設けたことを特徴とする田植機における苗載台の支持装置。
【発明の詳細な説明】
【技術分野】
【０００１】
本発明は，田植機において，その苗載台を，機体に対して左右へ横移動可能に支持する装置に関する。
【背景技術】
【０００２】
従来，田植機における苗載台の支持装置は，例えば，特許文献１等に記載されているように，苗載台の裏面の下部に断面下向きコ字状に形成した下部シュー部材を取付ける一方，前記苗載台の裏面の上部に断面下向きコ字状で横方向に延びる構成にしたガイドレールを取付け，前記下部シュー部材を，伝動ケース等の支持フレーム側に取付けた下部レールに，当該下部レールの長手方向に自在に摺動するように被嵌する一方，前記ガイドレール内に，前記支持フレーム側に上向きに突出するように取付けた上部シュー部材を，前記ガイドレールの長手方向に自在に摺動するように挿入することにより，前記苗載台を左右へ横移動可能に支持するという構成にしている。
【先行技術文献】
【特許文献】
【０００３】
【特許文献１】特開２０００−０４１４２９号公報
【発明の概要】
【発明が解決しようとする課題】
【０００４】
この従来における苗載台の支持装置は，前記した構成であることにより，苗載台の裏面下部に取付けた断面下向きコ字状の下部シュー部材の部分には，前記苗載台における重量の大部分が作用していることにより，この下部シュー部材の部分には，当該下部シュー部材とこれが嵌まる下部レールとの摺動部分における摩擦を低減したり，摺動を円滑にしたりすること等のために，潤滑油（グリース）を補給したり，この摺動部分を清掃したりするメンテナンスを定期的に行なうようにしなければならず，この潤滑油の補給等のメンテナンス，及び部品交換に多大の手数と時間とを必要とするのであった。
【０００５】
本発明は，下部シュー部材及び下部レールに対する潤滑油の補給等のメンテナンス及び部品交換が至極容易にできるようにすることを技術的課題としている。
【課題を解決するための手段】
【０００６】
この技術的課題を達成するため請求項１は，
「田植機における支持フレームに横方向に延びるように取付けた下部レールに沿って、苗載台を摺動自在に案内支持する下部シュー部材と，前記苗載台の裏面上部に取付けたガイドレールに摺動自在に嵌るように，前記支持フレームに設けた上部シュー部材とを備えている苗載台の支持装置において，
前記上部シュー部材を，前記支持フレームに設けたシュー昇降機構にて上下動する構成にした。」
ことを特徴としている。
【０００７】
請求項２は，
「前記請求項１の記載において，前記上部シュー部材を，前記ガイドレールの長手方向に沿って適宜間隔で配設した複数個にして，この各上部シュー部材のうち少なくとも二つの上部シュー部材を，前記シュー昇降機構によって上下動する構成にした。」
ことを特徴としている。
【０００８】
また，請求項３は，
「前記請求項１又は２の記載において，前記シュー昇降機構を，前記苗載台の前方において圃場面を均す整地機構に対する昇降操作機構に，当該昇降操作機構によって前記上部シュー部材の上下動を行なうように，着脱可能に連結した。」
ことを特徴としている。
【０００９】
更にまた，請求項４は，
「前記請求項１〜３のいずれかの記載において，前記シュー昇降機構に，当該シュー昇降機構を上げ操作位置に保持するロック手段を設けた。」
ことを特徴としている。
【発明の効果】
【００１０】
請求項１の記載において，苗植え装置における支持フレーム側に取付く上部シュー部材を，シュー昇降機構にて上げ作動することにより，苗載台の全体が持ち上がり，この苗載台を案内支持する下部シュー部材が，これが嵌まる下部レールから離れることになるから，その間における摺動部分に対する潤滑油（グリース）の補給及び清掃等のメンテナンスが，至極簡単にできるとともに，部品交換も至極簡単にでき，これらに要する手数及び時間を大幅に低減することができる。
【００１１】
次に，請求項２によると，苗載台を，複数の上部シュー部材のうち少なくとも二つの上部シュー部材によって，左右への傾きを少なくした状態のもとで持ち上げることができ，これにより，前記複数の上部シュー部材のうち少なくとも二つの上部シュー部材を除く他の上部シュー部材を，これが嵌まるガイドレールから離すことができるから，この他の上部シュー部材に対するメンテナンス及び部品交換も至極簡単に行なうことができる。
【００１２】
また，請求項３によると，前記上部シュー部材の上げ作動による前記苗載台を持ち上げを，整地機構に対する昇降操作機構にて行なうことができるから，操作がより簡単になるとともに，部品の一部を共用化できて，コストを低減できる利点がある。
【００１３】
更にまた，請求項４によると，前記上部シュー部材の上げ作動にて前記苗載台を持ち上げたときに，この持ち上げた状態を，ロック手段にて保持することができるから，前記メンテナンス及び部品交換等を安全に行なうことができる。
【図面の簡単な説明】
【００１４】
【図１】乗用型田植機の側面図である。
【図２】図１の平面図である。
【図３】図１における苗植え装置の拡大図である。
【図４】図３のIV−IV視側面図である。
【図５】図４のＶ−Ｖ視拡大断面図である。
【図６】図４のVI−VI視拡大断面図である。
【図７】苗植え装置における上部シュー部材とシュー昇降機構とを示す図である。
【図８】図７の斜視図である。
【図９】図７のIX−IX視断面図である。
【図１０】図８及び図９のＸ−Ｘ視断面図である。
【図１１】図８及び図９のXI−XI視断面図である。
【図１２】苗載台を持ち上げた状態を示す図である。
【図１３】図１２の要部拡大図である。
【発明を実施するための形態】
【００１５】
以下，本発明の実施の形態を，乗用型田植機に適用した場合の図面（図１〜図１３）について説明する。
【００１６】
これらの図において，符号１は，乗用型田植機を示し，この乗用型田植機１は，走行車体２と，この走行車体２の後部に着脱可能に連結した苗植え装置３（実施形態では８条植え用）とによって構成されている。
【００１７】
前記走行車体２は，左右前輪４と，左右後輪５によって支持されており，その全部に搭載したエンジン６により，前記前輪４及び後輪５を駆動するか，或いは後輪５を駆動することによって，前進又は後退走行するように構成されている。
【００１８】
前記走行車体２には，操縦座席７及び操縦ハンドル８が設けられているほか，この走行車体２の後部には，走行車体２の平面視で，その前後方向の中心の部位に昇降機構９が設けられ，この昇降機構９の後端におけるヒッチ部材１０に，前記苗植え装置３が着脱可能に連結され，この苗植え装置３は，前記昇降機構９にて昇降される構成である。
【００１９】
前記苗植え装置３は，その支持フレーム１１の一部を構成する伝動ケース１２と，その後端に横方向に適宜間隔で設けた複数個（８個）の植付け機構１３と，この各植付け機構１３の下側に横に並べて設けた複数個のフロート１４と，前記支持フレーム１１のうち前記伝動ケース１４の上側に設けた苗載台１５とによって構成されている。
【００２０】
前記伝動ケース１２は，前記走行車体２におけるエンジン６の動力を第１ＰＴＯ軸１６を介して入力することにより，その各植付け機構１３の駆動，及び前記苗載台１５の左右方向への横送り駆動等を行なうように構成している。
【００２１】
図５に示すように，前記苗載台１５の裏面下部には，断面下向きコ字状にした下部シュー部材１７を取付けている。この下部シュー部材１７は，前記支持フレーム１１の一部を構成する伝動ケース１２の上面に横方向に延びるように取付けた下部レール１８に，その長手方向に自在に摺動するように被嵌されている。下部シュー部材１７と下部レール１８との摺動自在な嵌合によって，前記苗載台１５が横方向に移動可能に支持されている。
【００２２】
なお，前記下部シュー部材１７は，図５に示すように，アルミ等の金属製の溝型レール１７ａと，この溝型レール１７ａ内に装填した合成樹脂製のシュー１７ｂとによって構成されている。また，下部レール１８には，前記下部シュー部材１７が当該下部レール１８から外れることを阻止するためのストッパー１９が，ボルト２０の締結によって，着脱可能に取付けられている。
【００２３】
一方，前記苗載台１５の上部における裏面には，断面下向きコ字状のガイドレール２１を横方向に延びるように取付ける一方，前記支持フレーム１１のうち伝動ケース１２から前記苗載台１５の裏面に沿って立設した門型フレーム２２の上端には，複数個（四つ）の上部シュー部材２３ａ，２３ｂ，２３ｃ，２３ｄを，横方向に適宜間隔で取付けて，この各上部シュー部材２３ａ，２３ｂ，２３ｃ，２３ｄを，前記ガイドレール２１内に，当該ガイドレール２１の長手方向に自在に摺動するように挿入して嵌めることによって，前記苗載台１５における上部を，横方向に移動可能に支持している。
【００２４】
また，前記苗植え装置３には，当該苗植え装置３と前記走行車体２における後輪５との間の部位には，圃場面を均すようにした回転ローラ式の整地機構２４が取付けられおり，この回転ローラ式の整地機構２４は，前記走行車体２におけるエンジン６の動力を第２ＰＴＯ軸２５を介して入力することにより，回転駆動される構成である。
【００２５】
更に，前記整地機構２４は，前記支持フレーム１１のうち門型フレーム２２における高さ方向の略中程部に軸支した横軸２６から後ろ向きに突出する複数のアーム２７に，リンク杆２８を介して吊設されており，前記横軸２６を，昇降操作レバー２９にて回動することにより，圃場面に対して昇降するように構成されている。
【００２６】
つまり，前記横軸２６，アーム２７，リンク杆２８及び昇降操作レバー２９等により，整地機構２４に対する昇降操作機構３０を構成しており，この昇降操作機構３０における昇降操作レバー２９は，複数個のノッチを有する位置保持部材３１によって，前記整地機構２４を圃場面に対して所定の高さ位置にしたとき，その操作位置に係脱可能に保持するように構成されている。
【００２７】
そして，前記複数個の上部シュー部材２３ａ，２３ｂ，２３ｃ，２３ｄのうち左右両側に位置する二つの上部シュー部材２３ａ，２３ｄは，前記門型フレーム２２に上下動しないように取付けられているが，この上部シュー部材２３ａ，２３ｄの間に位置する少なくとも二つの中央の上部シュー部材２３ｂ，２３ｃは，前記門型フレーム２２に，その各々におけるシュー昇降機構３２によって，前記苗載台１５の裏面に沿って上下動するように取付けられている。
【００２８】
このシュー昇降機構３２は，図６〜図１１に示すように構成されている。
【００２９】
すなわち，前記シュー昇降機構３２は，前記門型フレーム２２に溶接等にて固着した平面視コ字状の固定ブラケット３３と，前記中央の上部シュー部材２３ｂ，２３ｃが取付けられる可動ブラケット３４と，前記固定ブラケット３３に枢着ピン３６にて回動自在に枢着される操作レバー３５とを備え，前記可動ブラケット３４は，前記固定ブラケット３３の内部に，上下一対のボルト３７ａ，３７ｂにて締結されている。
【００３０】
この場合，前記一対のボルト３７ａ，３７ｂのうち下部のボルト３７ｂは，前記可動ブラケット３４に前記苗載台１５と略平行に延びるように穿設した長溝ボルト孔３８に嵌まっている一方，前記操作レバー３５における枢着ピン３６は，前記可動ブラケット３４に前記長溝ボルト孔３８と平行に延びるように穿設したガイド溝孔３９に嵌まっており，前記上部のボルト３７ａを取り外す一方，前記下部のボルト３７ｂを緩めるか取り外した状態にし，更に，前記下部シュー部材１７に対するストッパー１９のボルト２０を，図５に二点鎖線で示すように，緩めるか，取り外すことにより，前記可動ブラケット３４が，前記長溝ボルト孔３８と前記ガイド溝孔３９とのガイド作用にして，苗載台１５に沿って上下動するように構成されている。
【００３１】
これに加えて，前記操作レバー３５の先端を，前記可動ブラケット３４に対して，連結用ボルト４０にて，着脱自在に連結することにより，前記操作レバー３５の回動操作にて，前記可動ブラケット３４を上下動するように構成している。
【００３２】
つまり，前記上部のボルト３７ａを取り外す一方，前記下部のボルト３７ｂを緩めるか取り外し，前記ストッパー１９のボルト２０を緩めるか取り外した状態にして，前記操作レバー３５を回動することにより，前記苗載台１５の上部を支持する複数個の上部シュー部材２３ａ，２３ｂ，２３ｃ，２３ｄのうち中央に位置する少なくとも二つの上部シュー部材２３ｂ，２３ｃが上昇動するという構成になっている。
【００３３】
前記操作レバー３５の下向きへの回動より，前記苗載台１５の全体が，前記中央に位置する二つの上部シュー部材２３ｂ，２３ｃにて左右に大きく傾くことがないように支持された状態で，図１２及び図１３に示すように，持ち上げられることになる。
【００３４】
この苗載台１５の全体における持ち上げにより，その下部における下部シュー部材１７が，これが被嵌する下部レール１８から離れることになるから，その間における摺動部分に対する潤滑油（グリース）の補給及び清掃できるとともに，部品交換もできる。
【００３５】
これと同時に，前記複数個の上部シュー部材２３ａ，２３ｂ，２３ｃ，２３ｄのうち左右両側に位置する上部シュー部材２３ａ，２３ｄが，これが嵌まるガイドレール２１から離れることになるから，前記左右両側に位置する上部シュー部材２３ａ，２３ｄに対するメンテナンス及び部品交換も行なうことができる。
【００３６】
また，前記操作レバー３５と，前記固定ブラケット３３との間には，シュー昇降機構３２を上げ操作位置に保持するロック手段が設けられている。
【００３７】
すなわち，前記操作レバー３５の下向きへの回動にて前記苗載台１５を持ち上げした状態では，前記操作レバー３５におけるロックピン孔４１が，前記固定ブラケット３３におけるロックピン孔４２に一致し，これのロックピン孔４１，４２に跨がってロックピン４３を挿入することにより，前記苗載台１５を持ち上げた状態を保持するように構成している。
【００３８】
前記した各種の作業が終わると，前記操作レバー３５を，ロックピン４３を引き抜いたのち下向きに回動することにより，中央に位置する上部シュー部材２３ｂ，２３ｃが，下降動するから，これにより前記苗載台１５をもとの位置に戻すことができ，以後は，前記一対のボルト３７ａ，３７ｂを締結し，前記ストッパー１９のボルト２０を締結することにより，所定の作業が完了する。
【００３９】
次に，本実施の形態においては，前記シュー昇降機構３２における操作レバー３５を，前記整地機構２４における昇降操作機構３０に，連動リンク４４及び着脱自在なピン４５を介して，着脱可能に連結するという構成にしている。
【００４０】
すなわち，前記整地機構２４のみを，その昇降操作機構３０における昇降操作レバー２９にて昇降動するときには，前記シュー昇降機構３２における操作レバー３５と，前記連動リンク４４とを連結するピン４５を取り外している。
【００４１】
これに対し，前記シュー昇降機構３２における操作レバー３５と，前記連動リンク４４とをピン４５にて連結した状態にすることにより，前記シュー昇降機構３２における操作レバー３５による苗載台１５の持ち上げ操作を，前記整地機構２４に対する昇降操作機構３０における昇降操作レバー２９にて行なうことができる。
【００４２】
なお，前記した実施の形態は，前記複数個の上部シュー部材２３ａ，２３ｂ，２３ｃ，２３ｄのうち中央に位置する二つの２３ｂ，２３ｃを，前記シュー昇降機構３２にて上げ作動する場合であったが，本発明は，これに限らず，前記複数個の上部シュー部材２３ａ，２３ｂ，２３ｃ，２３ｄのうち左右両側に位置する二つの２３ａ，２３ｄを，シュー昇降機構３２にて上げ作動するか，或いは，前記複数個の上部シュー部材２３ａ，２３ｂ，２３ｃ，２３ｄのうち任意の二つを，シュー昇降機構３２にて上げ作動するという構成にすることができる。
【００４３】
また，上げ作動可能な上部シュー部材は，苗載台１５の左右幅中央（重心とも言える）を支持する構造であれば，１つだけであっても差し支えない。更に，前記シュー昇降機構３２も，前記実施の形態の構成に限らず，他の構成にすることができる。
【符号の説明】
【００４４】
１                        乗用型田植機
２                        走行車体
３                        苗植え装置
１１                      苗植え装置の支持フレーム
１３                      植付け機構
１４                      フロート
１５                      苗載台
１７                      下部シュー部材
１８                      下部レール
２１                      上部のガイドレール
２３ａ〜２３ｄ            上部シュー部材
２４                      整地機構
２９                      整地機構の昇降操作レバー
３０                      整地機構の昇降操作機構
３２                      シュー昇降機構
３５                      シュー昇降機構の操作レバー
４３                      ロックピン
【図１】
2012105596.tif 000003
【図２】
2012105596.tif 000004
【図３】
2012105596.tif 000005
【図４】
2012105596.tif 000006
【図５】
2012105596.tif 000007
【図６】
2012105596.tif 000008
【図７】
2012105596.tif 000009
【図８】
2012105596.tif 000010
【図９】
2012105596.tif 000011
【図１０】
2012105596.tif 000012
【図１１】
2012105596.tif 000013
【図１２】
2012105596.tif 000014
【図１３】
2012105596.tif 000015